(57)【要約】  ディスク（１）をディスク駆動ターンテーブル（４）上に位置決めするよう該ディスク駆動ターンテーブルと協働するよう構成される位置決め手段（３）が設けられたディスクを有する情報担体。位置決め手段は、ディスクに対して直交するディスク方向（Ｔ）において少なくとも可動である。
2007502488.tif 000002
【特許請求の範囲】
【請求項１】
ディスクをディスク駆動ターンテーブル上に位置決めするよう該ディスク駆動ターンテーブルと協働するよう構成され、前記ディスクに対して直交するディスク方向において少なくとも可動である位置決め手段が設けられたディスクを有する情報担体。
【請求項２】
前記位置決め手段は、前記位置決め手段が前記情報担体内に実質的に位置付けられる第１の位置と、前記位置決め手段が前記情報担体の側面から少なくとも部分的に突き出る第２の位置との間で少なくとも可動である請求項１記載の情報担体。
【請求項３】
前記情報担体は、前記位置決め手段を前記第１の位置に向けて動かす手段を有する請求項２記載の情報担体。
【請求項４】
前記可動位置決め手段は、前記ディスクの開口内に少なくとも部分的に延在する請求項１乃至３のうちいずれか一項記載の情報担体。
【請求項５】
前記位置決め手段は、可動位置決め素子を有する請求項１乃至４のうちいずれか一項記載の情報担体。
【請求項６】
前記位置決め素子は、球状素子、例えばボールである請求項５記載の情報担体。
【請求項７】
前記ディスクの中心部が前記位置決め手段を有する請求項１乃至６のうちいずれか一項記載の情報担体。
【請求項８】
前記位置決め手段は、磁界によって動かされるよう構成される請求項１乃至７のうちいずれか一項記載の情報担体。
【請求項９】
前記情報担体は、前記ディスクを含むカセットを有する請求項１乃至８のうちいずれか一項記載の情報担体。
【請求項１０】
前記カセットは、前記位置決め手段を、前記直交するディスク方向において動かすよう構成される請求項９記載の情報担体。
【請求項１１】
前記カセットは、前記位置決め手段を動かすよう前記位置決め手段に接続される可動カセット部を有する請求項１０記載の情報担体。
【請求項１２】
請求項１乃至１１のうちいずれか一項記載の情報担体の位置決め手段と協働するのに適したターンテーブル。
【請求項１３】
前記ディスクの位置決めのために前記情報担体の前記位置決め手段の少なくとも一部を受容する位置決め開口を有する請求項１２記載のターンテーブル。
【請求項１４】
対応するディスク開口によって情報担体のディスクを位置決めするためのディスク位置決め軸を有するターンテーブルであって、
前記ディスク位置決め軸は、前記ターンテーブルのディスク支持面に直交する方向において実質的に可動であるターンテーブル。
【請求項１５】
前記軸は、約５ミリメートル以下、特に約１ミリメートル以下の直径を有する請求項１４記載のターンテーブル。
【請求項１６】
請求項１２乃至１５のうちいずれか一項記載の少なくとも１つのターンテーブルを有する、情報担体から情報を読出しする及び／又は情報担体上に情報を書込みする装置。
【発明の詳細な説明】
【技術分野】
【０００１】
本発明は、ディスクドライブターンテーブル上でディスクを位置決めするようそのディスクドライブターンテーブルと協働するよう構成される位置決め手段が設けられたディスクを有する情報担体に係る。
【０００２】
本発明は更に、ターンテーブルに係る。
【背景技術】
【０００３】
このような情報担体及びターンテーブルは、実施から周知である。情報担体は、例えば、コンパクトディスク、スモールフォームファクタディスク（ＳＦＦディスク）などを有しうる。周知の情報担体の位置決め手段は、中心ディスク開口を有する。周知のターンテーブルは、固定位置決め軸を有する。使用時には、ディスクは、ターンテーブルの軸が中心ディスク開口を通り抜けるようターンテーブル上にディスクが配置されるようターンテーブル上に位置付けられる。
【０００４】
周知の情報担体及び周知のターンテーブルの問題は、ディスクは、ディスクを各ディスク再生及び／又は書込み装置内に装填するときターンテーブル軸上に軸方向に動かさなければならないという点である。同様のことが、情報担体の取り外しについても言える。従って、情報担体の装填及び取り外しのために多くの空間が必要である。例えば、ディスクは、通常の半分の高さのディスクドライブの装填メカニズムの中に水平方向に挿入され、その後、ターンテーブル軸を有するターンテーブルが上方向に動かされる。ノートブックコンピュータのもう１つの別の周知の装填メカニズムでは、ディスクは、ターンテーブル上に垂直方向に手動で配置され、その後、ターンテーブルは、水平方向動作によってコンピュータハウジング内に挿入される。両方のメカニズムにおいて、連続する水平方向動作及び垂直方向動作が、情報担体を装填するのに必要である。このことは、スモールフォームファクタが所望される場合、例えば、小型化された電化製品、携帯装置等の場合に特に不利である。
【発明の開示】
【発明が解決しようとする課題】
【０００５】
本発明は、大量の位置決め空間を必要とすることなく各ターンテーブル上に正確に位置付けられることが可能なディスクを有する情報担体を提供することを目的とする。
【課題を解決するための手段】
【０００６】
この目的は、本発明による情報担体によって達成される。この情報担体は、ディスクをディスク駆動ターンテーブル上に位置決めするよう該ディスク駆動ターンテーブルと協働するよう構成され、ディスクに対して直交するディスク方向において少なくとも可動である位置決め手段が設けられたディスクを有する。
【０００７】
本発明では、ディスクの位置決め手段は、ディスクに対して直交するディスク方向において少なくとも可動である。従って、情報担体は、例えば、情報担体を長手ディスク方向に動かすことによって好適なターンテーブル上に装填することが可能である。情報担体ディスクとターンテーブルが一緒にされた後、位置決め手段は、ターンテーブルとの協働の為にディスクに対して直交するディスク方向において単純に動かされ、それにより、位置決め手段とターンテーブルが所望に応じてディスクを位置付けることが可能である。従って、位置決め手段の動作は、ディスク自体の直交運動が含まれない。従って、情報担体は、装填される際に少量の空間を必要とする。情報担体の取り外しは、上述した段階を逆の順序で行うことによって達成可能である。
【０００８】
本発明は、請求項１２の特徴によって特徴付けられるターンテーブルを更に提供する。このターンテーブルは、請求項１乃至１１のうちいずれか一項記載の情報担体の位置決め手段との協働に適しているので、情報担体の装填及び／取り外し、並びに情報担体の位置決めは、小さな領域内で行うことが可能である。
【０００９】
本発明の実施例では、対応するディスク開口によって情報担体のディスクを位置決めする軸を有するターンテーブルは、ディスク位置決め軸が、ターンテーブルのディスク支持面に直交する方向において実質的に可動であることを特徴とする。
【００１０】
この場合は、情報担体ではなくターンテーブルが、ディスクをディスク支持面上に位置決めする、直交方向に可動である位置決め手段を有する。この発明は、直交方向に可動である位置決め手段の使用という上述した同じ発明概念に基づいたものである。ディスクを装填するためには、ディスク位置決め軸は、ターンテーブル内にひき込められ、それにより、ディスク支持面には実質的に障害物がないようにされる。この状態において、情報担体は、実質的に長手ディスク方向においてターンテーブル上に動かされることが可能であり、それにより、ディスクの装填は、小さな装填空間において達成可能である。ディスクが、ターンテーブル上に適切に配置されると、位置決め軸は、ターンテーブルからディスクの正確な位置決めの為にディスク開口内に直交方向に単純に動かされることが可能である。位置決め軸の動作は、例えば、アクチュエータ、磁気力等といった比較的単純な手段によって達成可能である。そのような可動軸も比較的丈夫である。このターンテーブルの更なる利点は、対応する情報担体は、比較的安価に且つ簡単に作成可能であることであり、それぞれディスクを軸上に位置決めするための位置決め開口を有する。
【００１１】
更に、本発明は、請求項１６に記載する特徴によって特徴付けられる、情報担体から情報を読出しする及び／又は情報担体上に情報を書込みする装置を提供する。このような装置は、上述したターンテーブルの利点から恩恵を受ける。読出し及び／又は書込み装置は、例えば、コンピュータ、携帯可能機器、オーディオ及び／又はビデオ装置等といった多くの様々な電化製品において使用可能である。
【００１２】
本発明の更なる遊離な実施例は、従属項に記載する。
【発明を実施するための最良の形態】
【００１３】
本発明を、添付図面に示す例示的な実施例に基づいて以下に詳細に説明する。
【００１４】
図１は、ディスク１を有する情報担体の第１の実施例の断面図を示す。ディスク１の中心部１ａには、実質的に円筒形の開口５が設けられ、この開口は、可動位置決め素子３をぴったりと収容している。第１の実施例の位置決め素子３は、情報を有するディスク部１ｂに直交するディスク方向Ｔに可動であるボール３である。円筒開口５の横方向の端部は、位置決めボール３を保持するために幾らか後退している。図１は、ボール３の第１の直交方向位置を示す。
【００１５】
図３は、ターンテーブル４と組み合わされた情報担体の第１の実施例の使用を示す。ターンテーブル４は、情報担体ディスク１の位置決めボール３と協働するよう構成される。より具体的には、ターンテーブル４は、ターンテーブル４のディスク支持面９内に設けられた実質的に円錐の位置決め開口７である対応する位置決め手段を有する。図３Ａ及び３Ｂに示すように、ディスク１は、装填時には、ディスク１のボール３がターンテーブル４の開口７と一直線となるよう中心ディスク部１ａがターンテーブル４のディスク担持面上に配置される位置まで実質的に長手ディスク方向Ｌに動かされる。次に、ディスク１の位置決めボール３は、第１の位置から、ボール３がディスク１からターンテーブル４の位置決め開口７内に部分的に突き出る第２の直交方向位置に直交方向に動かされると、ターンテーブル４に対する正確なディスク位置決めをもたらす。この第２のボール位置は、図３Ｂに示す。ボール３は、第２のボール位置に保持され、従って、ディスク１は、ディスク１の正確な位置決めがディスク１の位置決め素子３とターンテーブル４の位置決め空洞７との協働によって維持されながら、例えば、ディスク１から情報を読み取る及び／又はディスク１上に情報を書込むためにターンテーブル４によって回転されることが可能である。
【００１６】
位置決め素子としてボール３を使用することの利点は、ボール３とディスク２との間に比較的小さな摩擦があり、ボール３の容易な直交方向動作を可能にすることである。加えて、この位置決め素子３の球状は、ボール３がターンテーブル４の位置決め開口７と完全に一直線にされていない場合に、第２のボール位置に向かってのボール３の動作の間にディスク３の自動且つ正確な再位置決めを与える。このような再位置決めは、例えば、ディスクの長手方向の動作の間にボール３を円錐位置決め開口７内に引きつける力の影響下で達成される。更に、図３に示すターンテーブル４は、ディスク支持面９から延在する位置決め軸を有さないので、ディスク１を、ディスク１の装填の為に実質的に長手方向Ｌに動かすだけで十分である。更に、ディスク１は、簡単にターンテーブル４から取り外されることが可能であり、そのとき、位置決めボール３は、各ターンテーブル開口７から単に転がり出ることが可能である。
【００１７】
位置決め手段３の上述した直交方向動作、並びに、この位置決め手段の第２の直交方向位置における維持は、様々な方法において達成可能である。比較的単純な実施例では、磁気力が、位置決め手段３を動かし且つ保持することが可能である。例えば、ターンテーブルは、位置決め素子３が好適な材料を有する場合に、位置決め素子３を引きつける磁石８を有しうる。
【００１８】
図２は、位置決めボール３を有する比較的大きい開口５’を有する情報担体ディスク１の別の実施例を示す。この実施例では、位置決め素子３は、例えば、１つ以上のリーフスプリングであるバネ手段６によって開口５’の中心に可動に保持される。
【００１９】
図４Ａ及び４Ｂは、本発明の第３の実施例を示し、ここでは、情報担体は、情報を有するためのディスク１１１を含むカセット１０１を有する。ディスク１１１を回転させる各ターンテーブル１０４も図４Ａ及び４Ｂに示す。カセット１０１は、その内部に含まれるディスク１１１を保護するよう機能しうる。図４Ａに示すように、第３の実施例は、ディスク１１１の中心開口１０５を通り延在する位置決め軸１０３を有する。位置決め軸１０３は、図４Ａに示す第１の軸位置から図４Ｂに示す第２の軸位置まで、ディスク１１１に直交するディスク方向Ｔにおいて、軸方向に可動である。第２の軸位置では、軸１０３は、ターンテーブル１０４との協働の為にディスク面から外側に到達する。カセット１０１には、ディスク面と位置決め軸１０３をターンテーブル１０４に対して露出するための空隙１０８が設けられる。
【００２０】
この第３の実施例では、カセット１０１は、位置決め軸１０３を動かすよう構成される。このことは、位置決め軸１０３に接続される可動カセット部１１２によって単純に達成される。例えば、外部力の影響下での可動カセット部１１２の動作は、位置決め軸１０３の軸方向動作をもたらす。カセット部１１２のこの動作は、例えば、カセットの装填時に、ターンテーブル１０４に向かってその上に作用する外部機械力によって達成されうる。図４Ａ及び４Ｂに示すような直交方向に可動な位置決め軸１０３の利点は、軸は、ディスク１１１及びターンテーブル１０４の回転時に第２の軸位置に軸自身によって実質的に保持される点である。
【００２１】
より具体的には、カセット１０１は、ディスク１１１に沿って延在する弾性壁部１０６を有する。ディスク位置決め軸１０３は、軸端によってこの壁部１０６に接続される。弾性壁部１０６は、壁部１０６に機械力が実質的に加えられていない場合に位置決め軸１０３を第１の軸位置に保持するようディスク１から離れるよう僅かに曲げられる。カセットが図４Ｂに示すように、ターンテーブル４Ｂに示すようにターンテーブル１０４に向かって装填されると、弾性壁部１０６は、外部力によってディスク１に向かって押され、それにより、位置決め軸１０３は、ターンテーブル１０４の対応する位置決め開口１０７との協働のために第２の軸位置に向かって動かされる。位置決め軸１０３は、外部力を取り除くことによってターンテーブル開口１０７から簡単に引き出されることが可能である。
【００２２】
図５Ａ及び５Ｂは、本発明の第４の実施例を示し、情報担体２０１と対応するターンテーブル２０４を有する。この第４の実施例では、情報担体は、位置決め開口２０２が設けられたディスク２０１を有し、ターンテーブルは、可動位置決め軸２０３を有する。軸２０３は、ターンテーブル２０４のディスク支持面２０９に直交する方向Ｔにおいて軸方向に可動である。図５Ａに示す軸の引き込められた位置では、ディスク支持面２０９には障害物がない。図５Ａ、５Ｂに示すように、ディスク２０１は、使用時に、軸２０３とディスク開口２０２が一直線となるようターンテーブル２０４のディスク支持面２０９上に実質的に長手ディスク方向Ｌに動かされる。次に、ターンテーブルの位置決め軸２０３は、ディスク２０１を位置決めするためにディスク開口２０２内に動かされる。この実施例の位置決め軸２０３の動作は、様々な方法によって、例えば、磁気力によって、アクチュエータによって、その他によって達成可能である。ディスク２０１は、例えば、ターンテーブル軸２０３を引きつける為の磁石リング２０８として図面中に示す磁気手段を有しうる。ターンテーブル２０４の位置決め軸２０３は、約５ミリメートル以下、特に約１ミリメートル以下の直径を有することが好適である。その場合、スモールフォームファクタが、ターンテーブル２０４及びそのようなターンテーブル２０４を有する装置の構成において達成可能である。同様に、ディスク２０１の対応するディスク開口２０２も、約５ミリメートル以下、特に約１ミリメートル以下の小さな直径を有しうる。
【００２３】
本発明の例示的な実施例は、添付図面を参照しながら詳細に説明したが、本発明は、これらの実施例に限定されないことを理解するものとする。様々な変更、修正、又は組合せを請求項に記載する本発明の範囲及び精神から逸脱することなく当業者によって行いうる。
【００２４】
上述の位置決め手段は、例えば、磁気力によって、重力によって、弾性力によって、バネ力によって、それらの力の組合せによって、及び他の力によって位置決め手段上に作用する様々な力によって横ディスク方向に動かされうる。磁気力は、例えば、１つ以上の永久磁石、ターンテーブルを回転する電気モータ、及び／又は電磁石によって生成されうる。更に、情報担体は、好適な磁界を得るために、永久磁石及び／又は磁気導電体材料といった磁気手段を有しうる。
【００２５】
加えて、位置決め手段は、例えば、ディスクの弾性部分を有しうる。
【００２６】
位置決め素子は、様々な形状及び寸法を有しうる。例えば、スモールフォームファクタ位置決め素子、例えば、小さな球状又は円筒の軸は、約５ミリメートル以下、より具体的には約１ミリメートル以下の直径を有しうる。
【００２７】
更に、位置決め手段は、ディスクに直交するディスク方向Ｔに可動であり、また、様々な方向においても可動でありうる。
【００２８】
情報担体は、様々な形状及び寸法で提供されうる。ディスクもスモールフォームファクタを有することが好適であり、例えば、約３センチメートル以下の直径を有するディスクである。情報は、そのディスクによって様々な方法、例えば、光学的、磁気的、又は他の方法で保持される。ディスクは、既にそのような情報を有していてもよい。加えて、ディスクは、例えば、ディスク書込み装置によって情報が与えられるよう構成されうる。
【００２９】
ターンテーブルは、幾つかの方法で構成されうる。ターンテーブルは例えば、情報担体をターンテーブルに固定するためにクランプ手段を有しうる。このようなクランプ手段は、ディスクが、位置決め手段によって適切に位置付けられた後に、ターンテーブルに対してディスクを固定するよう構成されうる。
【００３０】
加えて、情報担体及び／又はディスクは、例えば、円形、角張った形状、又は他の形状といった様々な形状を有しうる。
【図面の簡単な説明】
【００３１】
【図１】本発明の情報担体の第１の実施例を示す断面図である。
【図２】本発明の情報担体の第２の実施例を示す断面図である。
【図３】図１の第１の実施例の各ターンテーブル上への装填を示す断面図である。
【図４】情報担体の第３の実施例の対応ターンテーブル上への装填を示す断面図である。
【図５】情報担体の第４の実施例の対応ターンテーブル上への装填を示す断面図である。
【図１】
2007502488.tif 000003
【図２】
2007502488.tif 000004
【図３】
2007502488.tif 000005
【図４】
2007502488.tif 000006
【図５】
2007502488.tif 000007
【国際調査報告】
2007502488.tif 000008
2007502488.tif 000009
2007502488.tif 000010